(57)【要約】【課題】パターで疑似ホールにボールを入れるアプローチの練習に適するゴルフ練習マットに関し、渦巻き状に巻いたマットを拡げるだけで簡単に組み立てて使用でき、しかも順目芝で練習したり、逆目芝で練習するなど多用な使い方ができ、リターン機能つきの簡易で安価なゴルフ練習マットを実現する。【解決手段】打球領域３と疑似ホール周辺領域１ａ、２ａと両者間の中間芝領域４からなり、中間芝領域３の片側の人工芝は順目になっており、他方は逆目になっていて、順目の領域と逆目の領域のそれぞれに対応して疑似ホール１、２を設けてある。また、前記の疑似ホール周辺領域１ａ、２ａの周りと中間芝領域４の両側にリターン溝１ｕ、２ｕを有しており、疑似ホール周辺領域１ａ、２ａが打球領域３より高くなるように構成されている。【選択図】　　　　　図１
2004065407.tif 000002
【特許請求の範囲】
【請求項１】
少なくとも打球領域と疑似ホール周辺領域と両者間の中間芝領域を含む領域が人工芝からなり、しかも芝の状態の異なる複数の区画からなっていることを特徴とするゴルフ練習マット。
【請求項２】
少なくとも打球領域と疑似ホール周辺領域と両者間の中間芝領域からなり、少なくとも中間芝領域の片側の人工芝は順目になっており、他方は逆目になっていて、順目の領域と逆目の領域のそれぞれに対応して疑似ホールを設けてあることを特徴とするゴルフ練習マット。
【請求項３】
使用時に、少なくとも前記の疑似ホール周辺領域の周りと中間芝領域の両側にリターン溝を有しており、少なくとも前記の疑似ホール周辺領域が少なくとも打球領域より高くなるように構成されていることを特徴とする請求項１または請求項２に記載のゴルフ練習マット。
【請求項４】
前記の打球領域と中間芝領域を含む領域において、リターン溝の領域は人工芝の芝の無い面構造とし、該面構造の部分の外周に可撓性の長尺材を固定してリターン溝の外縁を形成してなることを特徴とする請求項１、請求項２または請求項３に記載のゴルフ練習マット。
【請求項５】
前記の打球領域と中間芝領域を含む領域の裏面における少なくとも外周位置にはみ出し状態にシートを接着固定して、前記はみ出し部の外周に可撓性の長尺材を固定してリターン溝の外縁を形成してなることを特徴とする請求項１から請求項４までのいずれかの項に記載のゴルフ練習マット。
【請求項６】
使用時に、前記の疑似ホール周辺領域の周りのリターン溝の外側に、着脱式のネットを立てられるようにしてあることを特徴とする請求項１から請求項５までのいずれかの項に記載のゴルフ練習マット。
【請求項７】
少なくとも打球領域と疑似ホール周辺領域と両者間の中間芝領域を含む領域が人工芝からなるマットの少なくとも前記の疑似ホール周辺領域を載せる台であって、
前記マットの疑似ホール周辺領域を載せる台面から中間芝領域に向かって下り坂面になっており、
前記の疑似ホール周辺領域を載せる台面の外周と前記の下り坂面の両側に、中間芝領域に向かって下り坂となるリターン溝を有しており、このリターン溝と前記の疑似ホールの底部がトンネル状部を介して連通していること、
を特徴とする人工芝マットを載せる台。
【発明の詳細な説明】
【０００１】
【産業上の利用分野】
本発明は、ゴルフ練習用のマット、特にパターで疑似ホールにボールを入れるアプローチの練習に適するゴルフ練習マットに関する。
【０００２】
【従来の技術】
ゴルフの練習マットとして、例えば特開平７−５９８９２号公報、特開平８−１２８０１０号公報、特開平１０−５３８２号公報などに掲載されているように、人工芝などからなるマット自体の特性を改良した発明が種々提案されている。すなわち、ゴルフ練習マットにアプローチの練習に適するようなゴルフの練習を効率化するような提案は見当たらない。
【０００３】
【発明が解決しようとする課題】
ゴルフ練習場などにおいては、フルスイングした打球がネットに当たって落ちると、リターン機構によって、再び打球の練習をしている場所に戻って来るような設備が採用されている。
【０００４】しかしながら、個人が自宅などで手軽に練習できるような簡易装置においては、このようなリターン機能は見当たらない。その結果、いちいち球拾いに行く必要があり、練習効率が低下する。
【０００５】また、単一の装置であっても、順目の芝生で練習できたり、逆目の芝生で練習できるなど、多様な使い方ができることが望ましい。そして、簡易で保管などの取り扱いも簡便で安価な装置が望まれる。
【０００６】本発明の技術的課題は、このような問題に着目し、渦巻き状に巻いたマットを拡げるだけで簡単に組み立てて使用でき、しかも順目芝で練習したり、逆目芝で練習するなど多用な使い方ができ、リターン機能つきの簡易で安価なゴルフ練習マットを実現することにある。
【０００７】
【課題を解決するための手段】
本発明の技術的課題は次のような手段によって解決される。請求項１は、少なくとも打球領域と疑似ホール周辺領域と両者間の中間芝領域を含む領域が人工芝からなり、しかも芝の状態の異なる複数の区画からなっているゴルフ練習マットである。
【０００８】このように、打球領域と疑似ホール周辺領域と両者間の中間芝領域を含む領域が人工芝からなっているため、保管時や運搬時には、人工芝からなるマットをロール状に巻いておき、使用時に拡げてゴルフ練習マットとして使用できる。
【０００９】また、このマットは、芝の状態の異なる複数の区画からなっているため、例えば打球領域はセミラフの芝とし、他の領域は順目や逆目にするなど、領域によって異なる芝状態に設定できる。その結果、グリーンにより近い状態で練習可能となる。
【００１０】請求項２は、少なくとも打球領域と疑似ホール周辺領域と両者間の中間芝領域からなり、少なくとも中間芝領域の片側の人工芝は順目になっており、他方は逆目になっていて、順目の領域と逆目の領域のそれぞれに対応して疑似ホールを設けてあるゴルフ練習マットである。
【００１１】このように、中間芝領域の片側の人工芝は順目になっており、他方は逆目になっていて、順目の領域と逆目の領域のそれぞれに対応して疑似ホールを設けてあるので、練習に際しては、順目と逆目を自由に選んで練習でき、実際のグリーンの状態により近い、いろいろな条件で練習できる。
【００１２】請求項３は、使用時に、請求項１または請求項２に記載の疑似ホール周辺領域の周りと中間芝領域の両側にリターン溝を有しており、少なくとも前記の疑似ホール周辺領域が少なくとも打球領域より高くなるように構成されているゴルフ練習マットである。
【００１３】このように、疑似ホール周辺領域の周りと中間芝領域の両側にリターン溝を有しており、疑似ホール周辺領域が打球領域より高くなるように構成されているため、高低差によってリターン溝も傾斜することになり、疑似ホールに入った打球や疑似ホールの位置を越えた打球は、傾斜したリターン溝を転がり落ちる際の勢いによって、ボールは打球領域まで転がってリターンできる。したがって、いちいち打球を取りにいく手間が省ける。
【００１４】請求項４は、請求項１、請求項２または請求項３に記載の打球領域と中間芝領域を含む領域において、リターン溝の領域は人工芝の芝の無い面構造とし、該面構造の部分の外周に可撓性の長尺材を固定してリターン溝の外縁を形成してなるゴルフ練習マットである。
【００１５】このように、リターン溝の領域は人工芝の芝の無い面構造とし、該面構造の部分の外周に可撓性の長尺材を固定してリターン溝の外縁を土手状に形成してあるため、人工芝のマット自体を利用して、打球領域と中間芝領域の外側にリターン溝を容易に形成できる。
【００１６】請求項５は、請求項１から請求項４までのいずれかの項に記載の打球領域と中間芝領域を含む領域の裏面における少なくとも外周位置にはみ出し状態にシートを接着固定して、前記はみ出し部の外周に可撓性の長尺材を固定してリターン溝の外縁を形成してなるゴルフ練習マットである。
【００１７】このように、打球領域と中間芝領域の裏面における少なくとも外周位置にはみ出し状態にシートを接着固定して、前記はみ出し部の外周に可撓性の長尺材を固定してリターン溝の外縁を土手状に形成してあるので、人工芝のマット自体を使用しないで、別体のシートを接着することによってもリターン溝を形成できる。
【００１８】請求項６は、使用時に、請求項１から請求項５までのいずれかの項に記載の疑似ホール周辺領域の周りのリターン溝の外側に、着脱式のネットを立てられるようにしてあるゴルフ練習マットである。
【００１９】このように、疑似ホール周辺領域の周りに形成したリターン溝の外側に、着脱式のネットを立てられる構成にしてあるので、打球の勢いが強すぎて、疑似ホールを越えたボールはすべてネットに当たって、疑似ホールの外側のリターン溝に落下する。そして、傾斜リターン溝を経由して打球領域まで自然と戻って来るので、いちいち打球を拾いに行く必要がない。
【００２０】請求項７は、少なくとも打球領域と疑似ホール周辺領域と両者間の中間芝領域を含む領域が人工芝からなるマットの少なくとも前記の疑似ホール周辺領域を載せる台であって、前記マットの疑似ホール周辺領域を載せる台面から中間芝領域に向かって下り坂面になっており、前記の疑似ホール周辺領域を載せる台面の外周と前記の下り坂面の両側に、中間芝領域に向かって下り坂となるリターン溝を有しており、このリターン溝と前記の疑似ホールの底部がトンネル状部を介して連通していることを特徴とする人工芝マットを載せる台である。
【００２１】このように、人工芝マットの疑似ホール周辺領域を載せる台面から中間芝領域に向かって下り坂面になっているので、この台に人工芝マットを載せると、人工芝マットの疑似ホール周辺領域が最も高くなり、次いで中間芝領域に向かって下り坂の傾斜面が形成されるので、打球領域で打った打球は、傾斜面を登って疑似ホールに到達できる。
【００２２】また、人工芝マットの疑似ホール周辺領域を載せる台面の外周と前記の下り坂面の両側に、中間芝領域に向かって下り坂となるリターン溝を有しており、このリターン溝と前記の疑似ホールの底部がトンネル状部を介して連通しているので、疑似ホールに入ったボールや疑似ホールを越えて台面外周のリターン溝に落ちたボールは、リターン溝の下り坂を転がり落ちて打球領域に戻るので、いちいちボールを拾いに行く必要がない。
【００２３】
【発明の実施の形態】
次に本発明によるゴルフ練習マットが実際上どのように具体化されるか実施形態を説明する。図１は本発明によるゴルフ練習マットの全容を示す斜視図であり、図の左右方向の全長が約２〜５ｍ程度もあり長いので、中間部を破断して短くした表示になっている。
【００２４】図において、図の右端側に二つの疑似ホール１、２があり、左端側に打球領域３がある。疑似ホール１、２と左端の打球領域３との間隔は、２〜５ｍ弱程度あるが、好みに応じて任意のサイズに製造できる。打球領域３と疑似ホール１、２の周囲の領域１ａ、２ａ、並びに両者間の中間芝の領域４は、人工芝で構成されている。
【００２５】打球領域３は左右方向に約５０ｃｍ程度ある。この領域の芝の丈は約１２ｍｍ程度のセミラフ芝程度が好ましいが、特にこれに限定はされない。この打球領域３以外の領域は、二つの疑似ホール１、２に対応して、２種類の芝を使い分けられるようにしてある。すなわち、打者５から見て、前後二つに区分けして、例えば疑似ホール１側の中間芝領域４１から疑似ホール１の周辺領域１ａを順目の芝とし、疑似ホール２側の中間芝領域４２から疑似ホール２の周辺領域２ａを逆目の芝にしてある。
【００２６】したがって、打者５が、順目の中間芝領域４１の上を通過して、疑似ホール１を狙って打てば、順目の芝上で練習できる。また、逆目の中間芝領域４２の上を通過して、疑似ホール２を狙って打てば、逆目の芝上で練習できる。このように、順目の芝と逆目の芝とを選択し、二通りの使い分けができる。
【００２７】なお、使い分けする必要の無い構造も可能である。その場合は、疑似ホールも１個で足り、中間芝領域４の芝目も順目か逆目か、どちらか片側のみの芝を使用すれば足りる。
【００２８】本発明では、疑似ホールに入ったボールや疑似ホール周辺領域を越えたり、ネットに当たって頂部リターン溝に落ちたボールはすべて、傾斜したリターン溝を通って、再び打球領域３に戻ってくる構造になっている。そのために、疑似ホール１、２の周辺領域１ａ、２ａの外側には頂部リターン溝１ｕ、２ｕが形成されている。
【００２９】また、順目領域と逆目領域からなる中間芝領域４の両側の縁に沿ってリターン溝４１ｕ、４２ｕが形成されており、しかも傾斜リターン溝Ｕ１、Ｕ２を介して、前記の頂部リターン溝１ｕ、２ｕとそれぞれ連通している。また、打球領域３の前後両側にも、前記の中間芝領域４１、４２の外側のリターン溝４１ｕ、４２ｕと連通したリターン溝３１、３２が形成されている。そして、リターン溝３１と３２は、打球領域３の端部３３で連通している。また、リターン溝３１と３２とが連通する領域を拡大してリターンポケット３３とし、複数のボールがリターンして来て溜まるようにしてある。
【００３０】そして、疑似ホール１、２の周辺領域１ａ、２ａは、他の領域例えば中間芝領域４や打球領域３より高くしてある。図示例では、例えば１０ｃｍ程度高くしてあるが、この寸法に限定されない。そして、疑似ホール周辺領域１ａ、２ａと中間芝領域４との間４１ｓ、４２ｓは傾斜させてある。この傾斜面４１ｓ、４２ｓの両側のリターン溝Ｕ１、Ｕ２も当然傾斜している。
【００３１】疑似ホール１、２の底部は、トンネル部を介して、前記の傾斜リターン溝Ｕ１、Ｕ２と連通している。したがって、疑似ホール１または２に入ったボールは、傾斜面４１ｓ、４２ｓの外側の傾斜したリターン溝Ｕ１、Ｕ２の中を勢いよく転がり落ちる。その勢いによって、ボールｂは、中間芝領域４の外側のリターン溝４１ｕまたは４２ｕ中を転がって通過し、さらに打球領域３の両側のリターン溝３１または３２中を通過して、リターンポケット３３で停止する。
【００３２】疑似ホール周辺領域１ａ、２ａの外側の頂部リターン溝１ｕ、２ｕは、順目の芝４１と逆目の芝４２との境界部４１２の延長線上の部分を頂点として、前記の傾斜リターン溝Ｕ１、Ｕ２に続くように、次第に下り坂となっている。このように、疑似ホール周辺領域１ａ、２ａの外側のリターン溝１ｕ、２ｕが最も高いので、頂部リターン溝１ｕ、２ｕと呼んでいる。
【００３３】疑似ホール１、２に入らないで、頂部リターン溝１ｕ、２ｕ中に落下したボールは、該頂部リターン溝１ｕ、２ｕの傾斜によって前記の傾斜リターン溝Ｕ１、Ｕ２に流れ落ち、勢いをつけてから前記のリターンポケット３３まで転がる。
【００３４】このようにして、打球は全部、傾斜リターン溝Ｕ１、Ｕ２を転がり落ちる際の勢いで、中間芝領域４１または４２の外側のリターン溝４１ｕまたは４２ｕを経て、打球領域３の両側のリターン溝３１または３２中を通過し、最終的にリターンポケット３３に到達して停止し、回収される。
【００３５】疑似ホール１、２の周辺領域１ａ、２ａの外側の頂部リターン溝１ｕ、２ｕの外側には、打球が該頂部リターン溝１ｕ、２ｕを越えて、ゴルフ練習マットから飛び出さないように、ネット６を立ててある。このネット６は、例えば合成樹脂や木綿、麻などの紐を編んでなり、外周に棒状材や太い針金などからなる支持材６１を取付けてある。
【００３６】この支持材６１として、スパイラルスプリングなどを用いると、ネット６全体を自由自在に折り畳める。ネット６の要所には支持足６２を有しており、この支持足６２を、後術する台の頂部リターン溝１ｕ、２ｕの外側の支持孔に挿入することによって、ネット６を立てられるようになっている。
【００３７】なお、このネット６は、順目の芝４１と逆目の芝４２との境界部４１２の延長線上の位置を境にして二つ折りに折り畳めるようになっている。あるいは、２分割できる構造にしてもよい。
【００３８】図２（１）は図１のゴルフ練習マットの平面図てあり、打球領域３側の最も狭い位置の幅が約５０ｃｍであるのに対し、疑似ホール１、２側の最も広い位置の幅は約２倍の約１０３ｃである。打球の狂いは、打球位置から離れるほど拡大されていくので、このように打球領域３から最も遠い疑似ホール側の幅を次第に大きくしたことによって、マットの全面を有効に利用できる。しかも、打球領域３寄りを狭くしてあるので、小型軽量化できる。
【００３９】図２（２）は（１）図のＡ−Ａ断面図、（３）は（１）図のＢ−Ｂ断面図である。打球領域３と疑似ホール１、２との間隔は、前記のように２〜５ｍ弱程度あるが、好みや設置場所に応じて任意のサイズに製造できる。打球領域３と疑似ホール１、２の周辺領域１ａ、２ａ、並びに両者間の中間芝領域４は、前記のようにマット状の人工芝で構成されている。
【００４０】打球領域３と順目の領域４１と逆目の領域４２との３区画は、それぞれの芝の長さに応じた３枚の人工芝をつなぎ合わせて一体化してもよいが、１枚の人工芝において、３区画に応じて芝の長さをカットしたり加工したりして、セミラフや順目や逆目にしてもよい。
【００４１】そして、打球領域３と順目の領域４１と逆目の領域４２との３区画は、人工芝自体を利用して、リターン溝４１ｕ、４２ｕ、３１、３２、３３を形成している。すなわち、これらのリターン溝４１ｕ、４２ｕ、３１、３２、３３となる領域とその外側は、人工芝の状態において芝を抜き去ったり切除して面状態にする。
【００４２】次いで、リターン溝４１ｕ、４２ｕ、３１、３２、３３となる領域の外側には、（２）図のように、例えばスパイラルスプリング７を配置して、芝を抜いた部分によってスパイラルスプリング７を巻いて接着固定した構造になっている。なお、スパイラルスプリング７に代えて、硬めのゴムホースなどを用いることもできる。
【００４３】また、打球領域３と順目の領域４１と逆目の領域４２との３区画の裏面には、厚さが例えば５〜１０ｍｍ程度の弾性シート例えばウレタンスポンジシート８などを積層し接着することによって、使用時にゴルフボールが当たった際の吸音効果やボールの過度のバウンド防止を図って、グリーンと同様な自然な状態に近づけている。このゴルフ練習マットを使用して長時間練習していると、クラブヘッドで叩かれることによって、マットがずれたり皺が寄ったりする恐れがあるが、スポンジシート８による滑り防止効果によって、このような弊害も防止できる。
【００４４】リターン溝４１ｕ、４２ｕ、３１、３２、３３となる部分の裏面には、ウレタンスポンジシート８などは配置しない。各リターン溝の底面は硬度が高く、安定している必要があるからである。なお、リターン溝４１ｕ、４２ｕ、３１、３２、３３となる部分には、ゴルフボールの滑りや転がりが容易な材質のシートやテープなどを貼るのがよい。
【００４５】図３は図２におけるＣ−Ｃ位置の拡大断面図であり、傾斜面４１ｓ、４２ｓと疑似ホール周辺領域１ａ、２ａの人工芝を載せる台９を示している。図４は、この台９の斜視図である。この台９は、ポリプロピレン樹脂などの合成樹脂板材で、傾斜面９ｓと、該傾斜面９ｓの頂端に形成された台面９ｔを有する台状に形成されている。なお、図示例の台９は、図２の前記境界部４１２の位置で２分割されているが、一体構造でもよい。
【００４６】この台９の外周に、図２に示すように頂部リターン溝１ｕ、２ｕと傾斜リターン溝Ｕ１、Ｕ２を一体に形成してある。これらの頂部リターン溝１ｕ、２ｕと傾斜リターン溝Ｕ１、Ｕ２の外側には、溝壁部１０が形成されている。そして、頂部リターン溝１ｕ、２ｕの外側の溝壁部１０には、前記のようにネット６の支持足６２を挿入する支持孔１１が形成されている。溝壁部１０の外壁面に形成してあるガイド片Ｇは、ネット６の下端の水平支持材６３を位置決め保持するための物である。
【００４７】また、この台９の台面９ｔに疑似ホール１、２を形成してあり、それぞれの底部は、傾斜したトンネル状の四角筒部１２・１２を経由して傾斜リターン溝Ｕ１、Ｕ２に向けて延びている。疑似ホールの底部から、四角筒状の傾斜トンネル部１２・１２を経て傾斜リターン溝Ｕ１、Ｕ２に至る経路は、次第に下り坂になっていることは言うまでもない。
【００４８】以上のような台９は、軽量化のために板状体によって形成されている。また、台の要所には補強や安定化のために脚板を形成して、台９全体を支持している。図４の片方の台には、合わせ部に位置決め板１３を有しているので、この位置決め板１３の上に他方の台の合わせ部を載せて位置合わせした状態で、この台９の疑似ホールの周辺領域９ｔの上にマットの疑似ホール周辺領域１ａ、２ａを載せると共に、傾斜面９ｓ上にマットの傾斜面４１ｓ、４２ｓを載せる。そして、必要に応じて、着脱式の接着手段１４などを用いて固定する。
【００４９】次いで、この台９と共に、打球領域３や中間芝領域４１、４２をフローリング床などのような平坦な面上に敷いた状態でゴルフのアプローチ練習をする。練習が終わると、台９上からマットを外してロール状に巻き取り、保管したり運搬する。また、ネット６の支持足６２を台の支持孔１１から抜いて台９から取り外し、折り畳んで保管する。
【００５０】なお、図２、図３に記入してある寸法はあくまでも一例であって、この寸法に限定されるものではない。
【００５１】図５は、前記のリターン溝４１ｕ、４２ｕ、３１、３２、３３となる領域を形成するための別の実施形態を示す拡大断面図である。打球領域３と順目芝の領域４１と逆目芝の領域４２との３区画の領域の裏面ｍに別体のシート１５を接着固定してある。このシート１５は、マットの裏面ｍ全面に貼る必要はなく、裏面ｍにおいて、外周位置だけに貼りつければ足りる。
【００５２】このとき、リターン溝４１ｕ、４２ｕ、３１、３２、３３を形成したり、前記のスパイラルスプリング７などを取付け可能なように、シート１５がマット裏面ｍからはみ出すように接着固定しておく。
【００５３】そして、このはみ出した領域の外周に、スパイラルスプリング７やゴムホースなどの可撓性の長尺材を固定する。すなわち、スパイラルスプリング７などにシート１５の外縁を巻き付けて接着固定することによって、リターン溝４１ｕ、４２ｕ、３１、３２、３３の外縁を形成する。
【００５４】このように、リターン溝４１ｕ、４２ｕ、３１、３２、３３となる領域の外側に、スパイラルスプリング７などを芯材にした土手状の外縁７ａがあるため、打球領域３や順目芝の領域４１と逆目芝の領域４２などの人工芝の領域とスパイラルスプリング７などからなる外縁との間に、リターン溝が形成され、ボールがリターン溝中を円滑に転がってリターンポケット３３に到達できる。
【００５５】
【発明の効果】
請求項１のように、打球領域と疑似ホール周辺領域と両者間の中間芝領域を含む領域が人工芝からなっているため、保管時や運搬時には、人工芝からなるマットをロール状に巻いておき、使用時に拡げてゴルフ練習マットとして使用できる。
【００５６】また、このマットは、芝の状態の異なる複数の区画からなっているため、例えば打球領域はセミラフの芝とし、他の領域は順目や逆目にするなど、領域によって異なる芝状態に設定できる。その結果、グリーンにより近い状態で練習可能となる。
【００５７】請求項２のように、中間芝領域の片側の人工芝は順目になっており、他方は逆目になっていて、順目の領域と逆目の領域のそれぞれに対応して疑似ホールを設けてあるので、練習に際しては、順目と逆目を自由に選んで練習でき、実際のグリーンの状態により近い、いろいろな条件で練習できる。
【００５８】請求項３のように、疑似ホール周辺領域の周りと中間芝領域の両側にリターン溝を有しており、前記の疑似ホール周辺領域が打球領域より高くなるように構成されているため、高低差によってリターン溝も傾斜することになり、疑似ホールに入った打球や疑似ホールの位置を越えた打球は、傾斜したリターン溝を転がり落ちる際の勢いによって、ボールは打球領域まで転がってリターンできる。したがって、いちいち打球を取りにいく手間が省ける。
【００５９】請求項４のように、リターン溝の領域は人工芝の芝の無い面構造とし、該面構造の部分の外周に可撓性の長尺材を固定してリターン溝の外縁を形成してあるため、人工芝のマット自体を利用して、打球領域と中間芝領域の外側にリターン溝を容易に形成できる。
【００６０】請求項５のように、打球領域と中間芝領域の裏面における少なくとも外周位置にはみ出し状態にシートを接着固定して、前記はみ出し部の外周に可撓性の長尺材を固定してリターン溝の外縁を形成してあるので、人工芝のマット自体を使用しないで、別体のシートを接着することによってもリターン溝を形成できる。
【００６１】請求項６のように、疑似ホール周辺領域の周りに形成したリターン溝の外側に、着脱式のネットを立てられる構成にしてあるので、打球の勢いが強すぎて、疑似ホールを越えたボールはすべてネットに当たって、疑似ホールの外側のリターン溝に落下する。そして、傾斜リターン溝を経由して打球領域まで自然と戻って来るので、いちいち打球を拾いに行く必要がない。
【００６２】請求項７のように、人工芝マットの疑似ホール周辺領域を載せる台面から中間芝領域に向かって下り坂面になっているので、この台に人工芝マットを載せると、人工芝マットの疑似ホール周辺領域が最も高くなり、次いで中間芝領域に向かって下り坂の傾斜面が形成されるので、打球領域で打った打球は、傾斜面を登って疑似ホールに到達できる。
【００６３】また、人工芝マットの疑似ホール周辺領域を載せる台面の外周と前記の下り坂面の両側に、中間芝領域に向かって下り坂となるリターン溝を有しており、このリターン溝と前記の疑似ホールの底部がトンネル状部を介して連通しているので、疑似ホールに入ったボールや疑似ホールを越えて台面外周のリターン溝に落ちたボールは、リターン溝の下り坂を転がり落ちて打球領域に戻るので、いちいちボールを拾いに行く必要がない。
【図面の簡単な説明】
【図１】本発明によるゴルフ練習マットの全容を示す斜視図である。
【図２】（１）は図１のゴルフ練習マットの平面図てあり、（２）は（１）図のＡ−Ａ断面図、（３）は（１）図のＢ−Ｂ断面図である。
【図３】図２におけるＣ−Ｃ位置の拡大断面図である。
【図４】ゴルフ練習マットの傾斜面や疑似ホール周辺領域を載せる台の斜視図である。
【図５】リターン溝を形成するための別の実施形態を示す拡大断面図である。
【符号の説明】
１・２　台面またはマットに開けた疑似ホール
１ａ、２ａ　マットの疑似ホールの周辺の領域
３　打球領域
４　中間芝の領域
４１　順目の領域
４２　逆目の領域
４１ｕ、４２ｕ、３１、３２、３３　リターン溝
Ｕ１、Ｕ２　傾斜リターン溝
６　ネット
７　スパイラルスプリング
７ａ　土手状の縁
８　ウレタンスポンジのシート
９　台
９ｓ　台の傾斜面
９ｔ　台頂端の台面
１０　溝壁部
１１　支持孔
１２　傾斜トンネル状部
１３　位置決め板
１４　着脱式の接着面テープ
１５　シート
【図１】
2004065407.tif 000003
【図２】
2004065407.tif 000004
【図３】
2004065407.tif 000005
【図４】
2004065407.tif 000006
【図５】
2004065407.tif 000007